【事件の表示】
　特願２０１２−　５２１２９「ソケット及び照明器具」拒絶査定不服審判事件〔平成２５年　９月１９日出願公開、特開２０１３−１８７０８０、請求項の数（４）〕について、次のとおり審決する。
【結　論】
　原査定を取り消す。
　本願の発明は、特許すべきものとする。
【理　由】
第１．手続の経緯  
　本願は、平成２４年３月８日の出願であって、平成２７年４月１４日付けで拒絶理由が通知され、同年６月１７日に意見書及び手続補正書が提出されたが、同年１１月２日（発送日：同年１１月１０日）に拒絶査定がされ、これに対し、平成２８年２月５日に拒絶査定に対する審判の請求がされると同時に、手続補正書が提出されて特許請求の範囲を補正する手続補正がされ、同年６月１日に上申書が提出されたものである。
　
第２．平成２８年２月５日の特許請求の範囲を補正する手続補正（以下、「本件補正」という。）の適否  
１．本件補正の内容  
　本件補正は、本件補正により補正される前の（すなわち、平成２７年６月１７日の手続補正書により補正された）下記Ａに示す請求項１の記載を、下記Ｂに示す請求項１の記載へと補正することを含むものである。
Ａ　本件補正前の特許請求の範囲の請求項１  
「　【請求項１】
　２本のピンが突出する直管形ランプの口金を装着するためのソケットにおいて、
　前記口金の装着時に前記口金に対向する面である口金対向面の外周の２箇所が前記口金の装着方向に対して平行に切り欠かれることで、前記口金対向面に、前記２本のピンを挿入するための１対の開口部であって前記口金の装着方向における前記２本のピンの移動を所定位置まで案内する１対の開口部が形成されたソケット本体と、
　前記ソケット本体に収納され、前記２本のピンが前記所定位置まで移動した状態で前記２本のピンの前記開口部を貫通する部分と接触するランプ給電用の導電金具と、
　前記１対の開口部のそれぞれの開口部同士が向き合っている側とは反対側に隣接するように、前記１対の開口部のそれぞれと前記口金対向面の外周との間に設けられ、前記２本のピンが前記所定位置まで移動した状態で前記口金を保持する１対の凸部と
を備えることを特徴とするソケット。」 
　
Ｂ　本件補正後の特許請求の範囲の請求項１ 
「　【請求項１】
　２本のピンが突出する直管形ランプの口金を装着するためのソケットにおいて、
　
端部が開口された筒部と、前記筒部の開口された端部で前記筒部の内周面よりも内側に設置され、外周面が前記筒部の内周面に対向する受板とを有し、前記受板に、前記ソケットへの
が形成され、前記受板
面
向に
受板
前記口金対向面から前記口金対向面の反対側の面まで貫通し
　前記
筒部
　前記１対の開口部のそれぞれの開口部同士が向き合っている側とは反対側に隣接するように、
前記口金対向面で
受板
面
　
２．本件補正の適否  
　本件補正は、「ソケット本体」に関して、「端部が開口された筒部と、前記筒部の開口された端部で前記筒部の内周面よりも内側に設置され、外周面が前記筒部の内周面に対向する受板とを有し」との限定を付加し、このように「ソケット本体」が「筒部」と［受板」を有するものと限定することに伴って、他の発明特定事項を「
前記受板に、前記ソケットへの
が形成され、前記受板
面
向に
受板
前記口金対向面から前記口金対向面の反対側の面まで貫通し
筒部
前記口金対向面で
受板
面
　また、本件補正は、特許法第１７条の２第３項及び第４項に違反するところはない。 
　そこで、本件補正後の特許請求の範囲の請求項１に係る発明（以下、「本件補正発明１」及び本件補正発明１を引用する請求項２ないし４に係る発明（以下、「本件補正発明２」ないし「本件補正発明４」という。）が特許法第１７条の２第６項において準用する同法第１２６条第７項に規定に適合するか（特許出願の際独立して特許を受けることができるものであるか）について以下に検討する。  
　
２−１．刊行物の記載事項 
（１）原査定の拒絶の理由に引用され、本願出願前に頒布された刊行物である特開平４−８７１７３号公報（以下、「刊行物１」という。）には、「直管蛍光灯照明器具」に関し、図面（特に、第１図参照。）とともに次の事項が記載されている。
ア．「〔産業上の利用分野〕
　本発明は、直管蛍光灯照明器具に関するものであり、特にランプの取外しが容易な直管蛍光灯照明器具にかかるものである。」（公報第１ページ左下欄第１５ないし１８行） 
 　　　　　 
イ．「この直管蛍光灯照明器具でも、ランプソケットｌは、従来例同様に、プラスチック製箱体状のボディ２の上面及び前面に連通して前面略中央部まで平行に形成された一対のランプピン挿入溝３を有し、直管蛍光灯７の一方の口金８の一対のランプピン９にそれぞれ対応して形成されたばね性を有する銅合金層の一対の接触金具４を前記ボディ２の内にランプピン挿入溝３に臨んで納装して構成されている。接触金具４は、それぞれ側方へ円弧状に膨出して直管蛍光灯７のランプピン９を接触保持するランプピン保持部５を先端近傍に有していて、ボディ２のランプピン挿入溝３に挿入されたランプピン９はランプピン保持部５に位置して、接触金具４の弾性力により直管蛍光灯７が保持されるようになっている。このランプソケット１には、一対のランプピン挿入溝３の間に、第３図に示すように、ランプピン挿入溝３の上面開口側が傾斜面になって下面がボディ２前方に略直角に突出したランプ係止爪６が突設されている。」（公報第２ページ右上欄第２ないし２０行）
　
ウ．「直管蛍光灯７をランプソケット１に装着する際には、従来同様に、ランプピン９をランプピン挿入溝３の位置に合わせて直管蛍光灯７を押し込めば、ランプピン９が接触金具４のランプピン保持部５に嵌まると共に、口金８の係合凹部１０にランプ係止爪６が係止し、直管蛍光灯７がランプソケット１に確実に装着され、衝撃等が加わっても直管蛍光灯７が脱落する恐れがない。」（公報第２ページ左下欄第１９行ないし右下欄第６行）
　
エ．第１図及び第２図を参照すると、ボディ２におけるランプ係止爪６が形成される面は口金対向面であることが分かる。 
 　　　　　  
　上記の記載事項及び図面の記載を総合し、本件補正発明１の記載ぶりに則って整理すると、すると、刊行物１には次の発明（以下「引用発明」という。）が記載されている。  
「２本のランプピン９が突出する直管蛍光灯７の口金８を装着するためのランプソケット１において、
　前記ランプソケット１への前記口金８の装着時に前記口金８に対向する面である口金対向面が形成され、外周面の２箇所が前記口金８の装着方向に切り欠かれることで、前記口金対向面に、前記２本のランプピン９を挿入するための一対のランプピン挿入溝３であって、前記口金８の装着方向における前記２本のランプピン９の移動を所定位置まで案内する一対のランプピン挿入溝３が形成されたボディ２と、
　前記ボディ２に収納され、前記２本のランプピン９が前記所定位置まで移動した状態で前記２本のランプピン９の前記ランプピン挿入溝３に挿入する部分と接触する接触金具４と、
　前記一対のランプピン挿入溝３のそれぞれのランプピン挿入溝３同士が向き合っている側に隣接するように、前記口金対向面で前記一対のランプピン挿入溝３のそれぞれの間に設けられ、前記２本のランプピン９が前記所定位置まで移動した状態で前記口金８を保持するランプ係止爪６とを備えるランプソケット１。」
　
（２）原査定の拒絶の理由に引用され、本願出願前に頒布された刊行物である実願平３−７６８４２号（実開平５−６９８９２号）のＣＤ−ＲＯＭ（以下、「刊行物２」という。）には、図面（特に、図２、図４、図５参照。）とともに次の事項が記載されている。  
ア．「【０００１】
【産業上の利用分野】
　本考案は、オ−プンショ−ケ−スなどの棚下面に取付けられる蛍光灯の取付装置に関する。」
　
イ．「【００１４】
　棚９の下面には、合成樹脂製のソケット本体１１が装着固定される。ソケット本体１１は、図２、図４より理解されるように棚９下面に当てがわれる水平部１１ａと、この水平部１１ａを縦方向に通り抜ける二本のリ−ド線１２、１２の先端に接続した給電接片１３、１３を内挿している垂直部１１ｂとから成るＬ型形状をしている。そして、垂直部１１ｂは、後述する蛍光灯ホルダ−側の結合用の案内突起をガイドしてその挿入をスムーズとさせるガイド３３、３３を内部に形設している角柱状の中央突出部１４と、蛍光灯１０の受電用端子ピンを誘導案内する溝１５、１５とこの溝１５、１５を介して、中央突出部１４の両脇に一体形成され、前記蛍光灯ホルダ−側の結合用弾性片と係合し合う係止片１６、１６とを備えている。係止片１６、１６には、係止溝１７、１７が形成されている。又、前記中央突出部１４において、溝１５、１５側の側面には窓口１８、１８が形成され、給電接片１３、１３がそれ自身の互いに内方向へ向かい合う弾性力でもって、下端の変曲突部１３ａ，１３ａがこの窓口１８、１８内に入り込んだ状態に普段は（蛍光灯ホルダ−の非装着時）なっている。」
　
ウ．「【００１８】
　蛍光灯ホルダ−２５は、合成樹脂より成り、円形の端面２５ａと円筒状の周壁２５ｂとを有する筒体の形状をしている。そして、端面２５ａには、蛍光灯９の端部より平行して突出している二本の受電用端子ピン２７、２７を貫通させるためのピン貫通孔２８、２８が形成されている。このピン貫通孔２８、２８には、三方に向かって割入溝２９、２９、２９が放射状に切割形成されており、またピン貫通孔２８、２８の孔径は受電用端子ピン２７、２７の太さより少し小さめとなっている。これによって、受電用端子ピン２７、２７はピン貫通孔２８、２８にしっかりと固定されることとなる。又、異なるピン形状の受電用端子ピンであっても、対応可能となりピン貫通孔２８、２８に挿入保持できる。
【００１９】
　そして、蛍光灯ホルダ−２５の端面２５ａの外面側には、前述のソケット本体１１側の中央突出部１４内に嵌まり込む結合用案内突起３０と、同ソケット本体１１側の係止片１６、１６と係合し合う両側の結合用弾性片３１、３１とで、山の字を形作るように一体形成されている。そして結合用案内突起３０は結合用弾性片３１、３１より長く突出し、蛍光灯ホルダ−２５をソケット本体１１に結合する時に、先に結合用案内突起３０のソケット本体側の挿入をガイド３３、３３により行なわせて、結合をスム−ズにさせている。また結合用案内突起３０と結合用弾性片３１、３１との間に、前記ピン貫通孔２８、２８が位置している格好になっている。前記結合用弾性片３１、３１の先端に設けられた爪部３１ａ，３１ａは、前記係止片１６、１６の係止溝１７、１７に係合する。蛍光灯ホルダ−２５は、蛍光灯１０の両端部を嵌め込ませて蛍光灯１０のホ−ルドを行うが、と同時に、蛍光灯１０の熱が庫内４の商品に悪影響を与えないように防ぐ例えばプラスチック製の保温用の蛍光灯カバ−３２を取付ける支持部材ともなる。」
　
エ．「【００２１】
　こうして、蛍光灯１０および蛍光灯カバ−３２を取付けた蛍光灯ホルダ−２５を、図３、図４に示すように下から棚９側のソケット本体１１に結合する。すると、蛍光灯ホルダ−２５側の結合用案内突起３０が、ソケット本体１１の中央突出部１４内の案内凹所に先ず入り、両者の装着をスム−ズに案内する。やがて、蛍光灯１０の受電用端子ピン２７、２７は、ソケット本体１１の溝１５、１５内に進入し、また結合用弾性片３１、３１と係止片１６、１６とがその爪部３１ａ，３１ａと係止溝１７、１７とで係止が行なわれるようにする。そして中央突出部１４内に結合用案内突起３０が入り込むと、その先端の丸状頭部３０ａが、給電接片１３、１３の弯曲突部１３ａ，１３ａに内側から当って窓口１８、１８を介して外側へ押出すようになる。これによって、蛍光灯１０の受電用端子ピン２７、２７は給電接片１３、１３のこの弯曲突部１３ａ，１３ａ内側に入り、押し拡げながら溝１５、１５内に進入する。進入完了すると給電接片１３、１３は内方に向かう弾性力にて、受電用端子ピン２７、２７と強い接触状態を保持される。」
　
（３）原査定の拒絶の理由に引用され、本願出願前に頒布された刊行物である特開２０１２−９４５４号公報（以下、「刊行物３」という。）には、図面（特に、図２、図４、図５、図１６参照。）とともに次の事項が記載されている。  
ア．「【０００１】
　本発明は、直管形ＬＥＤランプ及びそれに用いるランプソケット、並びにそれらを用いる直管形ＬＥＤランプ用照明器具に関するものである。」
　
イ．「【００２０】
　このＬＥＤランプ１が装着されるランプソケットは、給電用口金３が装着される第１口金受け部を備えた給電用のランプソケット１０（第１ランプソケット）と、接地用口金４が装着される第２口金受け部を備えた接地用のランプソケット２０（第２ランプソケット）で構成される。
【００２１】
　給電用のランプソケット１０は、図４及び図５に示すように、ボディ１１と、ボディ１１に回転自在に取り付けられた回転子１２と、ボディ１１内に収納された一対の給電用接触子（図示せず）を備えている。尚、給電用のランプソケット１０の説明では、図４（ａ）に示す向きにおいて上下左右の方向を規定し、図４（ｃ）の左側を前側、右側を後側として説明を行う。
【００２２】
　ボディ１１は合成樹脂により略直方体状に成形され、その上面（取付状態における下面）は、左右方向の中央部が両側部に比べて上側に凸となるような曲面状に形成されている。ボディ１１の前面には丸穴状に凹んだ凹部１３が開口し、ボディ１１上面の左右方向中央部には、前方に開放されて、凹部１３に連続する挿入溝１４が設けられている。またボディ１１には、凹部１３の底部から前方に向かって突出する円筒状の支持軸１５が突設されており、この支持軸１５の上下両側部には、上記の挿入溝１３の下側位置に溝１５ａ，１５ｂがそれぞれ形成されている。」
　
ウ．「【００３０】
　図３は、上述のランプソケット１０，２０を備えた照明器具３０の外観斜視図である。この照明器具３０は、天井面に埋込配設されて使用されるものであり、細長い直方体状の器具本体３１の内部に点灯回路（図示せず）を収納してあり、器具本体３１の長手方向両端部の下側面には、上述したランプソケット１０，２０が、向かい合わせに取り付けられている。而して、ＬＥＤランプ１の両端に設けられた給電用口金３、接地用口金４をそれぞれ給電用のランプソケット１０、接地用のランプソケット２０に装着させることによって、ＬＥＤランプ１が器具本体３１に取り付けられる。尚、図３中の３２は、ＬＥＤランプ１からの光を下側の照明空間に反射する反射板である。」
　
エ．「【００７３】
　ところで、上述した各実施形態のＬＥＤランプ１では、給電用口金３の給電端子が丸棒状の口金ピン７で構成されているが、口金ピンの形状は上記の形状に限定されるものではなく、図１６に示すような形状の口金ピンでもよい。図１６に示す口金ピン７ａ，７ａは帯板状の板金を曲げ加工して形成され、ランプ軸方向と直交する方向が法線方向となるように、２本の口金ピン７ａ，７ａは平行に配置されている。そして、２本の口金ピン７ａ，７ａの先端側は略直角に曲げられて、外側方向（中心軸に向かう方向と反対側）に突出している。」
　
（４）平成２８年３月２９日付けの前置報告書に引用され、本願出願前に頒布された刊行物である特開２００５−４４７１７号公報（以下、「刊行物４」という。）には、図面（特に、図１、図２参照。）とともに次の事項が記載されている。  
ア．「【０００１】
　この発明は、例えば直管形蛍光灯用照明器具灯などに適用されるランプソケットに関するものである。」
　　　　　
イ．「【００１７】
　図１および図２に示すように、ソケット本体１は、周囲にねじを設けたねじ筒部１０を有し、その内部に導電端子３を覆うカバー２を装着している。また、ソケット本体１の周囲から中心に向かう２本のランプピン挿入開口部１１を有する。各ランプピン挿入開口部１１は導電端子３が臨むようにカバー２に形成されるとともに、その延長方向のねじ筒部１０の位置を切欠くように形成された開口部分１１ａを有する。ランプピンは、ランプピン挿入開口部１１に沿って矢印のように挿入され、ランプピン挿入開口部１１のそれぞれの端部にて導電端子３に接触した状態で保持される。また、ソケット本体１、カバー２は熱可塑性樹脂等で形成される。ソケット本体１には取付溝１４、水抜き穴（図示せず）が形成されている。カバー２は冷間かしめ１３によりソケット本体１に固定される。
【００１８】
　上記ソケット本体１の構成において、ランプピン挿入開口部１１の入口近傍にランプピンを保持可能なランプピン仮保持部１６を設けている。このランプピン仮保持部１６は、対向するランプピン２０の内側に接触する部位がランプの中心軸側に弾性変形可能とした構成である。この場合、ランプピン仮保持部１６は、ランプピン挿入開口部１１の内側と外側に対向するように形成された一対の凸部１６ａ，１６ｂからなる。一対の凸部１６ａ，１６ｂの間隔Ｌはランプピン径より狭い。また、ランプピン仮保持部１６が位置する２本のランプピン挿入開口部１１の間にスリット１７を設けることで、内側の凸部１６ａがランプの中心軸側に弾性変形する。」 
　
ウ．「【００２２】
　本実施形態によれば、ランプがソケット内部の導電端子３から外れたときでも、ランプピン仮保持部１６によりランプピンが保持されることでランプ落下の恐れがなく安全性が向上する。特に、ランプ交換作業中は、樹脂リング６が取り外され、ランプは導電端子３のみによって保持されており、また、点灯検査などのため、この状態のまま放置されることが多い。このとき振動や衝撃により、ランプが導電端子３から外れても落下を防止することができる。」
　
２−２　対比・判断 
（１）　本件補正発明１について 
　本件補正発明１と引用発明とを対比すると、その技術的意義、機能または構造からみて、引用発明における「ランプピン９」は本件補正発明１における「ピン」に相当し、以下同様に、「直管蛍光灯７」は「直管形ランプ」に、「口金８」は「口金」に、「ランプピン挿入溝３」は「開口部」に、「ボディ２」は「ソケット本体」に、「ランプ係止爪６」は「凸部」に、それぞれ相当する。  
　また、引用発明の「接触金具４」は、直管蛍光灯７に給電するために用いられることは明らかであるから、本件補正発明１における「ランプ給電用の導電金具」に相当する。
　そして、引用発明における接触金具４が「２本のランプピン９の前記ランプピン挿入溝３に挿入する部分と接触する」ことは、「２本のピンと接触する」という限りにおいて、本件補正発明１の導電金具が「２本のピンの前記開口部を貫通する部分と接触する」ことと共通する。
　また、引用発明における「前記一対のランプピン挿入溝３のそれぞれのランプピン挿入溝３同士が向き合っている側に隣接するように、前記口金対向面で前記一対のランプピン挿入溝３のそれぞれの間に設けられ、前記２本のランプピン９が前記所定位置まで移動した状態で前記口金８を保持する」は、「前記１対の開口部のそれぞれに隣接するように、前記口金対向面に設けられ、前記２本のピンが前記所定位置まで移動した状態で前記口金を保持する」という限りにおいて、本件補正発明１における「前記１対の開口部のそれぞれの開口部同士が向き合っている側とは反対側に隣接するように、前記口金対向面で前記１対の開口部のそれぞれと前記受板の外周面との間に設けられ、前記２本のピンが前記所定位置まで移動した状態で前記口金を保持する」と共通する。
　そこで、両者は、本件補正発明１の用語を用いて表現すると、次の点で一致する。 
［一致点］  
 「２本のピンが突出する直管形ランプの口金を装着するためのソケットにおいて、
　前記ソケットへの前記口金の装着時に前記口金に対向する面である口金対向面が形成され、外周面の２箇所が前記口金の装着方向に切り欠かれることで、前記２本のピンを挿入するための１対の開口部であって、前記口金の装着方向における前記２本のピンの移動を所定位置まで案内する１対の開口部が形成されたソケット本体と、
　前記２本のランプピン９が前記所定位置まで移動した状態で　前記２本のピンと接触するランプ給電用の導電金具と、
　前記１対の開口部のそれぞれに隣接するように、前記口金対向面に設けられ、前記２本のピンが前記所定位置まで移動した状態で前記口金を保持する凸部とを備えるソケット。」 
 　 
　そして、両者は次の点で相違する。  
［相違点］  
　本件補正発明１においては、ソケット本体が、「端部が開口された筒部と、前記筒部の開口された端部で前記筒部の内周面よりも内側に設置され、外周面が前記筒部の内周面に対向する受板とを有し、前記受板に」口金対向面が形成され、「前記受板」の外周面が切り欠かれて「前記受板に」「前記口金対向面から前記口金対向面の反対側の面まで貫通し」た１対の開口部が形成され、ランプ給電用の導電金具が、「前記筒部に収納され」、２本のピンの「前記開口部を貫通する部分」と接触し、また、「１対の凸部」が、「前記１対の開口部のそれぞれの開口部同士が向き合っている側とは反対側に隣接するように、前記口金対向面で前記１対の開口部のそれぞれと前記受板の外周面との間に設けられ」るのに対し、
　引用発明においては、ソケット本体が、「筒部」と「受板」とを有さず、ソケット本体に口金対向面が形成され、ソケット本体の外周面が切り欠かれれて、一対のランプピン挿入溝３が形成され、接触金具４が、「２本のランプピン９の前記ランプピン挿入溝３に挿入する部分と接触」し、また、「ランプ係止爪６」（本件補正発明１の「凸部」に相当。）が、「前記一対のランプピン挿入溝３のそれぞれの開口部同士が向き合っている側に隣接するように、前記口金対向面で前記一対のランプピン挿入溝３のそれぞれの間に設けられ」る点。 
　
　上記相違点について検討する。 
　本件補正発明１では、「１対の凸部」が、「前記１対の開口部のそれぞれの開口部同士が向き合っている側とは反対側に隣接するように、前記口金対向面で前記１対の開口部のそれぞれと前記受板の外周面との間に設けられ、前記２本のピンが前記所定位置まで移動した状態で前記口金を保持する」ことにより、ランプ交換作業中も直管型ＬＥＤランプ２０が落下しないものであり（本願明細書段落【００３６】を参照。）、また、凸部がランプの着脱時に削れにくいものである（本願明細書段落【０００７】を参照。）。
　刊行物２（前記「２−１（２）」を参照。）には、蛍光灯の取付装置に関して、１対の係止片１６が、１対の溝１５のそれぞれの溝１５同士が向き合っている側とは反対側に隣接するように設けられ、２本の受電用端子ピン２７が所定位置まで移動した状態で蛍光灯ホルダー２５を保持することが記載されている。（以下、「刊行物２に記載された事項」という。） 
　しかし、刊行物２に記載された事項における、１対の係止片１６（本件補正発明１の「凸部」に相当。）は、蛍光灯ホルダー２５を保持するものであって、口金を保持するものではない。
　そして、１対の係止片は１６は、ソケット本体１１の外周面に設けられるものであって、ソケット本体１１の蛍光灯１０の口金に対向する面に設けられるものでもない。
　そうすると、引用発明と刊行物２に記載された事項とは、凸部を設ける位置が異なるから、引用発明に刊行物２に記載された事項を適用したとしても、相違点における「１対の凸部」が、「前記１対の開口部のそれぞれの開口部同士が向き合っている側とは反対側に隣接するように、前記口金対向面で前記１対の開口部のそれぞれと前記受板の外周面との間に設けられ」るものとはならない。
　刊行物３（前記「２−１（３）」を参照。）には、ＬＥＤランプ１の両端に設けられた給電用口金３、接地用口金４をそれぞれ給電用のランプソケット１０、接地用のランプソケット２０に装着させることによって、ＬＥＤランプ１が器具本体３１に取り付けられることが記載されている。（以下、「刊行物３に記載された事項」という。）
　しかし、刊行物３に記載された事項のランプソケット１０、２０は、１対の凸部を設けて給電用口金３、接地用口金４を保持するものではない。
　そうすると、引用発明に刊行物２に記載された事項を適用したとしても、相違点における「１対の凸部」が、「前記１対の開口部のそれぞれの開口部同士が向き合っている側とは反対側に隣接するように、前記口金対向面で前記１対の開口部のそれぞれと前記受板の外周面との間に設けられ」るものとはならない。
　刊行物４（前記「２−１（４）」を参照。）には、ランプソケットに関して、１対の凸部１６ａ、１６ｂが、前記１対のランプピン開口部１１に隣接するように設けられ、２本のランプピン２０が所定位置まで移動した状態でランプピン２０を保持することが記載されている。（以下、「刊行物４に記載された事項」という。） 
　しかし、刊行物４に記載された事項における、一対の凸部１６、１６ａ（本件補正発明１の「凸部」に相当。）は、ランプピン２０を保持するものであって、口金を直接保持するものではない。
　そして、一対の凸部１６ａ、１６ｂは、ランプピン挿入開口部１１の内側面に対向するように形成されるものであって、カバー２の直管型蛍光灯の口金に対向する面に設けられるものでもない。
　そうすると、引用発明と刊行物４に記載された事項とは、凸部を設ける位置が異なるから、引用発明に刊行物４に記載された事項を適用したとしても、相違点における「１対の凸部」が、「前記１対の開口部のそれぞれの開口部同士が向き合っている側とは反対側に隣接するように、前記口金対向面で前記１対の開口部のそれぞれと前記受板の外周面との間に設けられ」るものとはならない。
　
　以上のように、刊行物２ないし４に記載された事項は、本件補正発明１の上記相違点に係る構成である、「１対の凸部」が、「前記１対の開口部のそれぞれの開口部同士が向き合っている側とは反対側に隣接するように、前記口金対向面で前記１対の開口部のそれぞれと前記受板の外周面との間に設けられ、前記２本のピンが前記所定位置まで移動した状態で前記口金を保持する」点について、記載または示唆するものではない。 
　すると、たとえ引用発明に刊行物２ないし４に記載された事項を適用したとしても、本件補正発明１の上記相違点に係る構成に至ることが容易であるとはいえない。 
　したがって、上記相違点に係る構成を具備する本件補正発明１は、引用発明及び刊行物２ないし４に記載された事項に基いて当業者が容易に発明をすることができたとはいえない。 
　よって、本件補正発明１は、特許法第１７条の２第６項において準用する同法第１２６条第７項の規定に適合する。 
　
（２）本件補正発明２ないし４について 
　本件補正発明２ないし４は、本件補正発明１を引用し、本件補正発明１を更に限定するものであるので、本件補正発明１と同様に、引用発明及び刊行物２ないし４に記載された事項に基いて当業者が容易に発明をすることができたとはいえない。 
　したがって、本件補正発明２ないし４は、特許法第１７条の２第６項において準用する同法第１２６条第７項の規定に適合する。 
　
２−３　むすび  
　以上のことから、本件補正は、特許法第１７条の２第３項ないし第６項の規定に適合する。 
　
第３．本願の請求項１ないし４に係る発明 
　本件補正は上記のとおり、特許法第１７条の２第３項ないし第６項の規定に適合するから、本願の請求項１ないし４に係る発明は、本件補正により補正された特許請求の範囲並びに願書に最初に添付した明細書及び図面の記載からみて、特許請求の範囲の請求項１ないし４に記載された事項により特定されるとおりのものである。  
　そして、上記第２．２−２で検討したとおり、本願の請求項１に係る発明については、引用発明及び刊行物２ないし４に記載された事項に基いて当業者が容易に発明をすることができたとはいえない。  
　また、本願の請求項２ないし４に係る発明については、いずれも本願の請求項１に係る発明の発明特定事項を全て含むものであるから、引用発明及び刊行物２ないし４に記載された事項に基いて当業者が容易に発明をすることができたとはいえない。 
　したがって、本願については、原査定の理由を検討してもその理由によって拒絶すべきものとすることはできない。
　また、他に本願を拒絶すべき理由を発見しない。
　よって、結論のとおり審決する。